(57)【特許請求の範囲】
【請求項１】
- ガイドレール（４１）とばね脚（２５）とによって形成された係止通路（２７）を備えていてウインドガラス（１０）に固定された保持レール（２０）と、
- 係止レール（１６）と位置決めストッパ（４２）とによって形成されたガイド通路（４０）を備えたカバー（１４）と、
を少なくとも有する、車両ウインド用のシール装置であって、
- 前記ガイド通路（４０）内に前記ガイドレール（４１）が配置されていて、前記係止通路（２７）内に前記係止レール（１６）が係止されており、前記ばね脚（２５）に設けられた係止フック（２８）が、前記係止レール（１６）の突出領域（２３）に係止されており、
- 前記ガイド通路（４０）内においてばねエレメント（１３）が、前記カバー（１４）の下側における接触面（１９）と前記ガイドレール（４１）との間において緊縮させられていることを特徴とする、車両ウインド用のシール装置。
【請求項２】
前記ばねエレメント（１３）は、前記ガイドレール（４１）又は前記接触面（１９）に結合されている、請求項１記載のシール装置。
【請求項３】
前記ばねエレメント（１３）は、中実材料として、中空室成形体として又はＵ字形成形体として形成されている、請求項１又は２記載のシール装置。
【請求項４】
前記ばねエレメント（１３）は、エラストマ、熱可塑性エラストマ、エチレン-プロピレン-ジエンゴム、スチレン-ブタジエンゴム、ポリブタジエンゴム、ニトリルゴム、クロロプレンゴム、フッ素ゴム、シリコンゴム、ポリプロピレン、ポリ塩化ビニル、アクリロニトリル-ブタジエンスチロール、コポリマのうちのいずれか１つ又は複数を含有している、請求項１から３までのいずれか１項記載のシール装置。
【請求項５】
前記ガイド通路（４０）は、少なくとも１つの取付けストッパ（４３）を有している、請求項１から４までのいずれか１項記載のシール装置。
【請求項６】
前記ガイド通路（４０）は、３〜７の取付けストッパ（４３）を有している、請求項１から４までのいずれか１項記載のシール装置。
【請求項７】
前記ばね脚（２５）は、変位可能であるか又は前記保持レール（２０）に変位可能に結合されている、請求項１から６までのいずれか１項記載のシール装置。
【請求項８】
前記ばね脚（２５）は、変位のために設けられた領域に、０.２ｍｍ〜１ｍｍの厚さを有している、請求項１から７までのいずれか１項記載のシール装置。
【請求項９】
前記位置決めストッパ（４２）と前記接触面（１９）に対する垂線との間の角度（α）が、０°〜４５°である、請求項１から８までのいずれか１項記載のシール装置。
【請求項１０】
前記位置決めストッパ（４２）と前記接触面（１９）に対する垂線との間の角度（α）が、２°〜２５°である、請求項１から８までのいずれか１項記載のシール装置。
【請求項１１】
前記保持レール（２０）及び／又は前記ガイドレール（４１）は、少なくとも１つの補強インサート（２６）を有している、請求項１から１０までのいずれか１項記載のシール装置。
【請求項１２】
前記ばね脚（２５）は、変位のために設けられた領域に金属箔を有している、又は金属箔から成っている、請求項１から１１までのいずれか１項記載のシール装置。
【請求項１３】
前記係止レール（１６）は、部分領域に切欠き（４４）を有し、かつ／又は部分領域に突出領域（２３）を有していない、請求項１から１２までのいずれか１項記載のシール装置。
【請求項１４】
請求項１から１３までのいずれか１項記載のシール装置を製造する方法であって、少なくとも、
ａ）前記保持レール（２０）を、接着結合部（３６）を介して前記ウインドガラス（１０）と持続的に結合させ、
ｂ）前記カバー（１４）の前記ガイドレール（４１）を前記保持レール（２０）の前記ガイド通路（４０）内に導入し、前記カバー（１４）の後縁部（１１）と前記ウインドガラス（１０）の下縁部（１２）との間における確定された間隔（Ｄ）を生ぜしめ、
ｃ）前記カバー（１４）の前記係止レール（１６）を、前記ガイドレール（４１）と前記カバー（１４）の下側における前記接触面（１９）との間において前記ばねエレメント（１３）を緊張させながら、前記係止フック（２８）を越えて前記係止通路（２７）内に押し込み、
ｄ）前記カバー（１４）を、前記ばねエレメント（１３）を弛緩させながら戻し移動させ、前記係止フック（２８）を、前記係止レール（１６）の前記突出領域（２３）に係止させる
ことを特徴とする、シール装置を製造する方法。
【請求項１５】
ステップ（ｂ）において、前記ガイドレール（４１）を前記取付けストッパ（４３）に沿って案内する、請求項１４記載の方法。
【請求項１６】
前記カバー（１４）を、前記保持レール（２０）に複数のセグメントで結合させる、請求項１４又は１５記載の方法。
【請求項１７】
自動車ウインドのため、ウインドシールドガラス（１０）若しくはリヤウインドのための、又はウォータドレンチャンバカバーとしての、請求項１から１３までのいずれか１項記載のシール装置の使用。
【発明の詳細な説明】
【技術分野】
【０００１】
本発明は、独立請求項の前提部に記載された、車両ウインド用のシール装置及び該シール装置を製造する方法並びにその使用に関する。
【０００２】
今日の自動車では、しばしば、ウインドシールドガラスの下縁部に大面積のパネル部品が取り付けられ、このパネル部品は、ウインドシールドガラスの外側面をエンジンフードの下にまで延長する。取付け時における取扱い可能性、例えばウインドワイパ装置における保守作業時における接近可能性及び補給管理のために、パネル部品はウインドシールドガラスと解離可能に結合される。この目的のために、ウインドシールドガラスには、多くの場合押出し成形法によって製造された成形品が取り付けられ、この成形品は、パネル部品における相応に形成された係止フックとの係止のための装置を有している。このような成形品は、例えば欧州特許第１２４００４１号明細書に基づいて公知である。さらにこのようなパネル部品は、ウインドシールドガラスに益々面一に接合され、これにより、利用可能な構造空間がさらに制限される。
【０００３】
欧州特許第１２８０６７５号明細書に基づいて、自動車ウインドシールドガラスの下側領域に用いられる、車両ウインド用のシール装置が公知であり、このシール装置は保持レールを介してウォータドレンチャンバカバーにシール作用をもって係止されている。保持レールはシール部材を有しており、このシール部材は、ウインドガラスの下縁部とウォータドレンチャンバカバーの上縁部との間に配置されていて、ウォータドレンチャンバカバーの外面とほぼ面一を成している。しかしながらこのシール装置には、機能に適した係止及び機能に適したシールのために極めて僅かな製作誤差しか許されないという欠点がある。しかしながらまた、独国特許出願公開第１０２００９０２６３６９号明細書に基づいて公知のように、このようなシール部材を見えないように配置することも可能である。
【０００４】
係止力を減じるために例えば軟らかいリップが使用されており、このリップは、欧州特許出願公開第２１２３４９７号明細書に基づいて公知のように、パネル部品における係止フックの相応に形成されたアンダカット部によって、低い力レベルにおける係止を可能にする。軟らかいリップは、カバーの位置決め精度が低いという欠点を有している。
【０００５】
ゆえに本発明の課題は、可能な限り簡単かつ経済的な手段で、従来技術の欠点を克服しながら、車両ウインド用の改善されたシール装置を提供することであり、この場合機能に適した係止のために、より小さな力しか必要なく、かつ同時により高い位置決め精度が可能になる。
【０００６】
本発明の課題は、独立請求項である請求項１、請求項１３及び請求項１６に記載の特徴によって解決される。本発明の好適な構成は、従属請求項に記載の構成によって与えられている。
【０００７】
本発明の課題は、少なくとも下記の特徴を有する、車両ウインド用のシール装置によって、すなわち、
- ガイドレールとばね脚とによって形成された係止通路を備えていてウインドガラスに固定された保持レールと、
- 係止レールと位置決めストッパとによって形成されたガイド通路を備えたカバーと、
を少なくとも有しており、さらに、
- ガイド通路内にガイドレールが配置されていて、係止通路内に係止レールが係止されており、
- ガイド通路内においてばねエレメントが、カバーの下側における接触面とガイドレールとの間において緊縮させられていることを特徴とする、車両ウインド用のシール装置によって、解決される。
【０００８】
係止通路における係止レールの係止は、ばね脚に設けられた係止フックを介して行われ、この係止フックは、係止レールの突出領域に係止されている。
【０００９】
本発明の課題はさらに、下記のシール装置を製造する方法によって、すなわち、少なくとも、
- 保持レールを、ウインドガラスと持続的に結合させ、
- カバーのガイドレールを保持レールのガイド通路内に導入し、カバーの後縁部とウインドガラスの下縁部との間における確定された間隔を生ぜしめ、
- カバーの係止レールを、ガイドレールとカバーの下側における接触面との間においてばねエレメントを緊張させながら、係止フックを越えて係止通路内に押し込み、
- カバーを、ばねエレメントを弛緩させながら戻し移動させ、係止フックを、係止レールの突出領域に係止させることを特徴とする、シール装置を製造する方法によって、解決される。
【００１０】
これによって、保持レール及び該保持レールに固定されたウインドガラスに対するカバーのポジションは、ガイドレールとガイド通路とによって決定される。ガイド通路は、位置決めストッパ及び係止レールの適宜な形状によってホッパ形状に形成されているので、ガイドレールは確定されたポジションに達する。
【００１１】
係止レールと係止通路とから成る係止機構は、大きな力を加えることによってしか再び解除することができない、カバーと保持レールとの持続的な結合部を形成する。係止機構は、カバーを保持レールに案内する取付け方向とは逆向きにカバーが解離することを阻止する。ばね脚及び該ばね脚に配置された係止フックは、ばねエレメントによって単に引張り力によってしか負荷されないので、極めて薄くかつ華奢に形成することができる。ガイド通路におけるガイドレールの確実な位置決めによって、係止機構は取付け方向に対して横方向の横力を受け止める必要がない。
【００１２】
本発明の好適な態様では、保持レールは接着結合部を介してウインドガラスと結合されている。接着結合部は好ましくは、接着膜又は接着ビードとして保持レールに塗布される。接着膜の通常の厚さは、０.３ｍｍ〜２ｍｍである。
【００１３】
カバー及び／又は保持レールは、好ましくは、ポリマ、特に好ましくはポリプロピレン、ポリ塩化ビニル、アクリロニトリル-ブタジエンスチロール、コポリマ及び／又はこれらの混合物を含有している。カバー及び／又は保持レールは、好ましくはポリプロピレンから成っている。
【００１４】
本発明の好適な態様では、ばねエレメントは保持レールのガイドレールに堅固に結合されている。特に好ましくは、ばねエレメントはガイドレールに接着され、押出し成形され、かつ／又は前製造されたシール成形体として相応の溝に挿入されている。択一的な好適な構成では、ばねエレメントはカバーの接触面に結合されている。この態様においてもばねエレメントは好ましくは、接触面に接着されていて、射出成形法によって製造され、かつ／又は前製造されたシール成形体として相応の溝に挿入されている。
【００１５】
ばねエレメントは、好ましくは、中実材料として、中空室成形体として又はＵ字形成形体として形成されている。ばねエレメントは、本発明に係るシール作用及びばね弾性作用がシール装置において得られる如何なる形状をも有することができる。ばねエレメントは好ましくはその横断面で見て、円形、楕円形、長方形又はＶ字形であってよい。
【００１６】
ばね弾性作用及びシール作用のために必要な、カバーの接触面と保持レールガイドレールとの間における圧力は、ばねエレメントの弾性変形によって生ぜしめられる。ばね特性を設計するために、特に、材料、形状、中空室成形体における壁厚、並びにばねエレメントの体積が互いに合わせられている。ばねエレメントは同時に、例えば雨又は雪のような湿気をシールするためのシールエレメントとして働く。
【００１７】
好適な態様では、本発明に係るばねエレメントは、エラストマ、熱可塑性エラストマ、及び好ましくはエチレン-プロピレン-ジエンゴム、スチレン-ブタジエンゴム、ポリブタジエンゴム、ニトリルゴム、クロロプレンゴム、フッ素ゴム、シリコンゴム、ポリプロピレン、ポリ塩化ビニル、アクリロニトリル-ブタジエンスチロール、コポリマ及び／又はこれらの混合物を含有している。
【００１８】
シール装置は車体外装を、特に、雨及び雪のような湿気に対して、並びに周囲からの様々な汚染に対してシールする。しかしながらまたシール装置はその作用において、形状、風ノイズの減少、及び車両外装の振動伝播に対しても影響を及ぼすことができる。
【００１９】
本発明の好適な態様では、位置決めストッパと接触面に対する垂線との間の角度αが、０°〜４５°、好ましくは２°〜２５°である。これによって形成されるくさび形状には、ガイドレールがばねエレメントの力作用によって位置決めストッパに沿って所望のポジションに案内される、という特別な利点を有している。このことには、取付け方向に対して横方向の誤差が大幅に減じられる、という特別な利点がある。
【００２０】
位置決めストッパの長さは、好ましくは１ｍｍ〜６ｍｍ、好適には２ｍｍ〜４ｍｍである。位置決めストッパは好ましくは、係止レールが係止通路内に達する前に、ガイドレールがガイド通路に導入されるような長さに形成されている。
【００２１】
好適な態様では本発明に係るカバーは、少なくとも１つの取付けストッパを有している。この取付けストッパは、位置決めストッパに配置されている。取付けストッパは、好ましくは位置決めストッパよりも長く、好ましくは５０％を超える値だけ、特に好ましくは１００％を超える値だけ、位置決めストッパよりも長い。取付けストッパは、好ましくはさらに、ガイド通路に向かって傾いている。取付けストッパは、ガイドレールとガイド通路並びに係止レールと係止通路が、保持レールに向かうカバーの下降時に互いに内外に形状結合式に適合して滑動するように、互いに配置されていることを保証する。これによって特に、係止レールが係止通路の外側及びばね脚とウインドガラスとの間に導入されることが阻止される。このような誤った導入は、ばね脚の変形及び破損を生ぜしめることがある。
【００２２】
好適な態様では、カバーは３〜７の取付けストッパ、特に３つの取付けストッパを有している。取付けストッパは好ましくは、カバーの延在方向に沿って端部領域と、真ん中に配置されている。外側の取付けストッパは、好ましくは、カバーの長さの２０％よりも僅かな長さだけ、カバーの端部から離れて配置されている。このような態様は、ガイド通路内へのガイドレールの特に簡単な導入と、係止通路内への係止レールの特に簡単な導入を可能にする。このことは特に、取付けが通常のようにカバーの両端部のうちの１つか又は真ん中において始まる場合に言える。
【００２３】
係止フック及び突出領域は、任意に係止通路において方向付けられていてよい。好適な態様では、係止フックは、係止通路の、ウインドガラスとは反対の側においてばね脚に取り付けられていて、係止レールの突出領域は、ウインドガラスに向かって方向付けられている。
【００２４】
ばね脚は、変位可能にカバーに結合されている。この場合変位可能というのは、保持レールから折れて取れたり又は持続的に変形したりすることなしに、ばね脚が結合箇所において保持レールに対して例えば係止動作時に屈曲できることを意味する。択一的に又は追加的に、ばね脚はフレキシブルに形成されていて、部分的に又は全長にわたって可逆式に曲がるようになっていてよい。
【００２５】
ばね脚は、好ましくは、ポリプロピレン、ポリ塩化ビニル、アクリロニトリル-ブタジエンスチロール、コポリマ及び／又はこれらの混合物、又は金属、好ましくはアルミニウム、鋼又は、ばね青銅又は真鍮のような銅合金を含有している。好適な態様では、本発明に係るばね脚は、金属から、好ましくは金属箔から、特に好ましくは、アルミ合金、鋼薄板合金又は、ばね青銅のような銅合金製の箔から成っている。
【００２６】
ばね脚は、変位特性を調節するために好ましくは、変位のために設けられた領域に０.２ｍｍ〜１ｍｍの成形体厚さを有している。変位のために設けられた領域は、保持レールに対するばね脚の結合箇所であっても、又はばね脚の部分領域又は全長にわたって延びていてもよい。
【００２７】
本発明の好適な態様では、保持レール、ガイドレール及び／又はばね脚は、少なくとも１つの硬化インサートを有している。硬化インサートは、金属、好ましくは金属箔及び特に好ましくは、アルミ合金、鋼薄板合金又は、ばね青銅のような銅合金、又は補強繊維、好ましくはガラス繊維、ケブラ繊維又は炭素繊維を有することができる。硬化インサートは、保持レール及びばね脚の材料厚さを減じることができ、かつ安定性もしくはばね剛性を等しいままにする又は高めることができる、という特別な利点を有している。
【００２８】
ウインドガラスの下縁部とカバーの後縁部との間における間隔Ｄは、好ましくは０.０５ｍｍ〜５ｍｍ、特に好ましくは０.１ｍｍ〜２ｍｍである。この場合この間隔は、車両外装において、視覚的にまったく又はほとんど見えない継ぎ目として、又はしかしながら、形状目的のために見える意図的な継ぎ目として機能する。カバーの後縁部は、好ましくは円形、くさび形又は直角に形成されている。このような構成は特に、ほとんど見えない継ぎ目の必要性と、シール装置の組立て時における十分な製造公差との組合せを可能にする。
【００２９】
好適な態様では、本発明に係る係止フックは、係止通路において丸く形成されている。係止フックは、好ましくは、係止レールの突出領域と一緒に回転ジョイントを形成するように、丸く形成されている。係止フックと係止レールの枢着的な配置形態によって、係止レールは、斜めの角度においても係止通路内に挿入され、予め設定されたポジションを維持しながら係止され得る。
【００３０】
本発明の他の好適な態様では、突出領域は係止レールにおいて単にセグメント状に形成されている。突出領域が形成されていないセグメントは、５ｍｍ〜５０ｍｍの長さを、好ましくは１５ｍｍ〜３０ｍｍの長さを有することができる。カバーの取付け時に、係止レールの突出領域は、保持レールのばね脚を折り曲げる。上に述べたセグメント化によって取付け過程時に、突出領域を備えた次のセグメントがばね脚の折り曲げを始める前に、常に、突出領域を備えた１つのセグメントが既に係止されているということが達成される。１つのセグメントの係止は、その都度、パチンという音を伴って行われ、この音は、係止動作を実施するための効果的なチェック機能を果たす。
【００３１】
本発明の別の好適な態様では、係止レールの部分領域が切り欠かれている。これらの切欠きは、スリット状に、０.５ｍｍ〜２ｍｍの幅で形成されていることができる。しかしながらまた係止レールのこれらの切欠き及びセグメントは、２ｍｍ〜５０ｍｍの長さを有することも可能である。セグメント化された係止レールの利点は、取付け動作中における係止レールの改善された可撓性にある。
【００３２】
好適な態様では、保持レールは取付けストリップ又は位置固定のガイドエレメントを用いてウインドガラスに対して位置決めされる。位置固定のガイドエレメントというのは、ここでは、保持レール用の取付け補助手段がウインドガラスの位置に対して位置固定の位置を有するということを意味している。
【００３３】
取付け補助手段は、保持レールとウインドガラスとの接着前に、ウインドガラスに対する保持レールの正確な位置決めを可能にする。取付けストリップは同様に、保持レールとウインドガラスとの接着前における取付け補助手段をも意味する。取付けストリップは、係止通路内に挿入されて再び取外し可能な、ウインドガラス縁部に対するスペーサである。
【００３４】
好適な態様では、特に、カバーの、部分領域において切り欠かれた係止レールは、セグメントにおいて軽く屈曲しながら係止通路内に係止される。セグメント化された係止レールの屈曲及び係止によって、明瞭に聞こえるパチンという音が生ぜしめられる。このパチンという音は、係止したことを知らせ、係止の品質チェックの枠内において極めて助けとなる。
【００３５】
本発明に係る方法の好適な態様では、ガイド通路内へのガイドレールの導入前に、ガイドレールを取付けストッパに沿って案内する。この態様は、ガイドレールとガイド通路並びに係止レールと係止通路とが、保持レールに向かうカバーの下降時に互いに内外に形状結合式に適合して滑動するように、互いに配置されていることを保証する。これによって特に、係止レールが係止通路の外側及びばね脚とウインドガラスとの間に導入されることが阻止される。さもないと、ばね脚は、変形及び破損してしまうことがある。
【００３６】
本発明に係る方法の別の好適な態様では、カバーを、保持レールにセグメント状に結合させる。この態様には、セグメント化された係止レールの屈曲及び係止によって、明瞭に聞こえるパチンという音が生ぜしめられる、という特別な利点がある。このパチンという音は、係止したことを知らせ、係止の品質チェックの枠内において極めて助けとなる。
【００３７】
本発明に係る方法は、自動車ウインドシールドガラスの下側領域にシール装置を取り付けるのに、特に好適に使用される。
【００３８】
さらに本発明は、自動車のウインドシールドガラスの下側領域及びカバー、特にウォータドレンチャンバカバーの後部領域における、シール装置の使用を含む。
【００３９】
もちろん、種々様々な態様を個々に又は任意の組合せで実現することができる。特に、既に述べた特徴及び以下に述べる特徴は、記載された組合せにおいてのみ使用できるのではなく、本発明の枠を逸脱することなしに、他の組合せにおいても、又は単独でも使用可能である。
【００４０】
次に図面を参照しながら本発明を詳説する。図面が概略図であり、縮尺は忠実ではない。図面は本発明を制限しない。
【図面の簡単な説明】
【００４１】
【図１】自動車のウインドシールドガラス用の本発明に係るシール装置を示す平面図である。
【図２】図１に示した本発明に係るシール装置の横断面図である。
【図３ａ】本発明に係るカバーを詳細に示す横断面図である。
【図３ｂ】本発明に係る保持レールを詳細に示す横断面図である。
【図３ｃ】図２に示した本発明に係るシール装置を詳細に示す別の横断面図である。
【図４】本発明に係るシール装置を横断面して示す斜視図である。
【図５】本発明に係るカバーの１実施形態を示す斜視図である。
【図６】図１に示した本発明に係るシール装置を示す別の横断面図である。
【図７】本発明に係るシール装置の別の実施形態を示す横断面図である。
【図８】取付けストリップを備えた本発明に係る保持レールを示す横断面図である。
【図９】本発明に係る方法の１実施形態を示すフローチャートである。
【００４２】
図１には、ウインドガラス１０用のシール装置の本発明に係る構成が平面図で示されている。ウインドガラス１０は、例えば自動車のウインドシールドガラスである。ウインドガラス１０の下縁部１２は、０.３ｍｍの間隔Ｄをおいて保持レール２０を介してカバー１４に結合されている。接合部の内部には、保持レール２０の部分領域が示されている。
【００４３】
図２には、本発明に係るシール装置が図１の切断ラインＡ−Ａ′に沿った横断面図で示されている。ウインドガラス１０は下縁部１２において、保持レール２０を介してカバー１４に結合されている。カバー１４は例えば、車両のウインドシールドガラスの領域におけるウォータドレンチャンバカバー又はその他のパネル部材である。ウインドガラス１０は例えば、熱可塑性の中間層を介して互いに結合された２つのシングルガラスから成る合わせ安全板ガラスである。ウインドガラス１０はまた、例えば本発明に係るシール装置をリヤウインドにおいて使用する場合には、予荷重された安全板ガラスから成るシングルガラスであってもよい。
【００４４】
保持レール２０は係止通路２７を有している。係止通路２７の一方の側面は、ガイドレール４１の、ウインドガラス１０に向いた側によって形成される。向かい合って位置する側面は、ばね脚２５によって形成される。ばね脚２５には、係止通路２７の内室に向かって係止フック２８が配置されている。
【００４５】
保持レール２０はポリマを含有しており、例えばポリプロピレンから成っている。保持レール２０は、厚さ０.８ｍｍの接着結合部３６を用いて、アクリル接着剤によってウインドガラス１０の内側面において該ウインドガラス１０の下縁部１２に結合されている。
【００４６】
カバー１４は、ポリマを含有しており、例えばポリプロピレンから成っている。カバー１４は係止レール１６を有していて、この係止レール１６は、ウインドガラス１０に向かって方向付けられて突出する突出領域２３を有している。係止レール１６は、位置決めストッパ４２と共にガイド通路４０を形成している。位置決めストッパ４２は、ガイド通路４０の、ウインドガラス１０とは反対の側に配置されている。
【００４７】
保持レール２０のガイドレール４１は、カバー１４のガイド通路４０に配置されている。これによって、ウインドガラス１０に対するカバー１４の横方向間隔Ｄが決定される。ここで横方向というのは、ウインドガラス１０の表面が該ウインドガラス１０の下縁部１２を越えてカバー１４に向かう方向である。ウインドガラス１０の下縁部１２におけるエッジと、カバー１４の後縁部１１との間における平均的な間隔Ｄは、例えば０.３ｍｍである。カバー１４の後縁部１１とウインドガラス１０の下縁部１２におけるエッジとの間には、シール材料を有しない自由な間隙が存在している。
【００４８】
さらにカバー１４の係止レール１６は、保持レール２０の係止通路２７において係止されている。そのためにカバー１４の取付け時に、ばねエレメント１３が、ガイドレール４１とカバー１４の接触面１９との間において圧縮される。ばねエレメント１３は、緊張状態５１にあり、カバー１４のガイド通路４０の下側における接触面１９を持続的に押圧する。これによって、係止レール１６の突出領域２３が、係止フック２８に向かって引っ張られる。係止フック２８は、ばね脚２５における突出縁部（Aufkantung）として形成されている。係止フック２８に対する係止レール１６の突出領域２３の引張り負荷によって、保持レール２０におけるカバー１４の確実な固定が達成される。特に、カバー１４が取付け方向とは逆方向に滑り落ちることが防止されている。ここで取付け方向というは、係止レール１６が係止通路２７内に差し込まれる方向を意味する。確実な位置決めは、ウインドガラス１０の下側領域における表面とカバー１４の後方領域における表面とが、例えば整合して一列に配置された状態を維持することを保証する。
【００４９】
ばね脚２５は係止レール１６との係止後には、単に引張り負荷を受けるだけであり、横力を受け止めない。横力は、ガイド通路４０におけるガイドレール４１の確定された位置決めによって受け止められる。従ってばね脚２５は、極めて薄く形成することができる。係止レール１６を係止通路２７内において係止するためには、僅かな力しか必要ない。ばね脚２５と保持レール２０との間の結合領域２２における厚さの断面寸法は例えば０.５ｍｍである。
【００５０】
係止通路２７は、その深さの例えば約５０％までしか係止レール１６によって満たされない。係止フック２８は係止レール１６を、ばねエレメント１３及びばね脚２５の圧力下において、係止通路２７の確定された係止ポジションにおいて持続的に保持する。
【００５１】
ばねエレメント１３は、例えばエチレン-プロピレン-ジエンゴムから成っている。ばねエレメント１３の大きなばね行程によって、係止レール１６及び保持レール２０が大きな誤差を有している場合でも、取付け時における確実な係止を達成することができる。同時に、ばねエレメント１３の弾性材料はガイド通路４０を湿気及び水に対してシールする。従ってウインドガラス１０とカバー１４との間の領域に浸入するは、ガイド通路４０を介してカバー１４の下の領域には浸入することができない。これにより例えば、追加的な別のシール手段を省くことができる。
【００５２】
ばね脚２５及び保持レール２０は、硬化インサート２６、例えばアルミホイルから成るインサートを有することができる。
【００５３】
保持レール２０には、ウインドガラス１０の下側領域に、支持脚６０が配置されていてよい。この支持脚６０はウインドガラス１０と、自動車の、ウインドガラス１０が接着されるクロスメンバ（図示せず）との間における間隔を固定するのに役立つ。支持脚６０は特に、接着剤の硬化中における間隔保持のために働く。
【００５４】
追加的な支持湾曲部１５は、係止レール１６を、ばねエレメント１３及びばね脚２５の圧力下で、係止通路２７内における確定された係止ポジションにおいて持続的に保持する。支持湾曲部１５は、ガイドレール４１における突出縁部として形成されている。支持湾曲部１５及び係止レール１６の突出領域２３は、丸く形成されているので、ウインドガラス１０の多次元的な湾曲とは無関係に係止作用が得られる。
【００５５】
図３ａには、図２に示したカバー１４が横断面図で詳しく示されている。位置決めストッパ４２、カバー１４の下側における接触面１９及び係止レール１６は、台形のガイド通路４０を形成している。係止レール１６の、ガイド通路４０とは反対の側には、突出領域２３が配置されている。
【００５６】
図３ｂには、図２に示した保持レール２０の、カバー２０（図示せず）との係止前における状態が横断面図で詳しく示されている。ばねエレメント１３は、弛緩状態５２にある。ガイドレール４１はばね脚２５と共に、係止通路２７を形成している。ばね脚２５の、係止通路２７に向いた側には、係止フック２８が成形されている。ばね脚２５及び保持レール２０は、硬化インサート２６を有することができる。
【００５７】
図３ｃには、図２に示された位置決めストッパ４２の領域が、横断面図で詳しく示されている。位置決めストッパ４２は、カバー１４の接触面１９に対する垂線との間に、例えば１５°の角度αを成している。位置決めストッパ４２は、例えば４ｍｍの長さＬを有している。係止レール１６は例えば、ガイド通路４０に向いた側において、接触面１９に対して垂直に配置されている。
【００５８】
図４には、図１に示した取付けストッパ４３の領域が、横断面されて斜視図で示されている。保持レール２０とカバー１４とはまだ互いに係止されていない。ばねエレメント１３は、Ｕ字形の支持兼シールリップであり、弛緩状態５２にある。
【００５９】
取付けストッパ４３は、位置決めストッパ４２の小さな領域に配置されていて、例えば４ｍｍの奥行きを有している。取付けストッパ４３は、５０％を越える値で、位置決めストッパ４２を越えて突出しており、例えば１５ｍｍの長さを有している。カバー１４の接触面１９の垂線に対する取付けストッパ４３の角度は、位置決めストッパ４２と垂線との間における角度αよりも小さい。取付けストッパ４３は特に、接触面１９に対して垂直に配置されているか又は例えば１°〜２０°の角度をもってガイド通路４０に向かって傾けられている。
【００６０】
図５には、カバー１４の本発明に係る１実施形態が斜視図で示されている。係止レール１６は例えば、２つのスリット状の切欠き４４を有している。これらの切欠き４４はそれぞれ、ガイド通路４０の、向かい合って位置する脚に配置された取付けストッパ４３とは反対側に配置されている。さらに係止レール１６は、突出領域２３を備えた部分領域と、突出領域２３のない部分領域とを有している。係止レール１６は、突出領域２３のない部分領域において、係止機能なしに形成されている。このような構成には、保持レール２０におけるカバー１４の取付けがセグメント状に行われ、１つの部分領域における係止時にパチンと言う明瞭な音が聞こえる、という特別な利点がある。同時に取付け工は係止動作を手の感覚によって知ることができる。
【００６１】
図６には、取付けストッパ４３の領域が、図１に示した切断ラインＢ−Ｂ′に沿った横断面図で示されている。取付けストッパ４３は、例えば、カバー１４の下側における接触面１９に対して垂直に配置されている。ガイド通路４０の、ウインドガラス１０に向いた側において、係止レール１６には切欠き４４が設けられている。この切欠き４４は、例えばカバー１４の射出成形時に取付けストッパ４３を成形するための工具を切欠き４４を通して係合及び解離させることができる、という特別な利点を有している。これによって、本発明に係るカバー１４を特に簡単かつ安価に製造することができる。
【００６２】
図７には、本発明に係るシール装置の択一的な構成が横断面図で示されている。図２とは異なり、ばねエレメント１３は中実材料として形成されている。さらにばねエレメント１３は、カバー１４のガイド通路４０における接触面１９に結合されている。ガイドレール４１はばねエレメント１３の領域において、突起状の隆起部４５を有している。この突起状の隆起部４５は、ばねエレメント１３内に押し込まれていて、湿気及び水に対する確実なシール部を形成する。ガイドレール４１は支持隆起部４６を有しており、この支持隆起部４６は、位置決めストッパ４２に接触している。このことは、ガイド通路４０内におけるガイドレール４１の正確な横方向の位置決めを可能にする。
【００６３】
図８には、ウインドガラス１０における本発明に係る保持レール２０が、取付けストリップ５０と共に横断面図で示されている。取付けストリップ５０は、ウインドガラス１０に対して位置固定に位置決めされている。ここにおいて位置固定というのは、取付けストリップ５０がウインドガラス１０の位置に対して位置固定の位置を占めているということを意味する。取付けストリップ５０は、保持レール２０とウインドガラス１０との接着前に、ウインドガラス１０に対する保持レール２０の正確な位置決めを可能にする。取付けストリップ５０は、係止通路２７内に挿入されていて、ガイドレール４１を収容するのに適している。取付けストリップ５０は、車両における最終的な取付けのためのウインドガラス１０の運搬中に、保持レール２０に留まり、保持レール２０を損傷に対して保護することができる。そして取付けストリップ５０は例えば、カバー１４の取付け直前に除去することができる。取付けストリップ５０は特に大きな力を要することなく再び取外し可能である。
【００６４】
図９には、シール装置を製造する本発明に係る方法ステップが詳しく記載されている。第１のステップにおいて、保持レール２０は、接着結合部３６を介して、ウインドガラス１０の下縁部１２において該ウインドガラス１０と持続的に結合される。そのために例えば、ウインドガラス１０の下縁部に対する保持レール２０のポジションを決定する取付けストリップ５０が使用される。
【００６５】
次のステップにおいて、カバー１４はウインドガラス１０に接触させられる。そのために例えばカバー１４の１つの側が保持レール２０に接触させられ、これにより、カバー１４の取付けストッパ４３が保持レール２０のガイドレール４１に接触する。取付けストッパ４３の使用によって、ガイドレール４１とガイド通路４０並びに係止レール１６と係止通路２７は互いに、これら４１，４０；１６，２７が保持レール２０に向かうカバー１４の下降時に互いに内外に適合して滑動するように配置されることが保証される。これによって特に、係止レール１６が係止通路２７の外側及びばね脚２５とウインドガラス１０との間に導入されることが阻止される。このような誤った導入は、ばね脚２５の変形及び破損を生ぜしめることがある。
【００６６】
さらなるステップにおいて、カバー１４は保持レール２０に下降させられる。この際にカバー１４のガイドレール４１は、保持レール２０のガイド通路４０内に導入される。これによってカバー１４の後縁部１１とウインドガラス１０の下縁部１２とは、互いの間に確定された間隔Ｄをおいて位置する。
【００６７】
次のステップにおいて、カバー１４の係止レール１６が係止通路２７に導入される。この際に係止レール１６の突出領域２３は、係止フック２８を越えてばねエレメント１３を緊張させながら押し込まれる。この場合ばね脚２５は、係止フック２８が押込み動作中に保持レール２０に対する結合箇所２２を中心にしたばね脚２５の回転によりウインドガラス１０に向かって逃げることができるように形成されている。突出領域２３が係止フック２８を通過して押し込まれた後で、ばね脚２５は弛緩し、係止フック２８はその本来のポジションに向かって移動する。これによって、係止フック２８と突出領域２３とは互いに係合する。
【００６８】
さらなるステップにおいて、カバー１４は取付け方向とは逆向きに戻し移動させられ、ばねエレメント１３は部分的に弛緩させられる。突出領域２３は係止フック２８を介してばね脚２５に対して引張り力を加え、これによって保持レール２０及びウインドガラス１０に対するカバー１４の垂直方向ポジションが決定される。
【００６９】
本発明は、従来技術における装置に対して一連の利点を有している。従来技術のシール装置では、カバーとウインドガラスとの間の横方向間隔Ｄ、並びにカバーとウインドガラスとの間の垂直方向間隔は、係止によって決定される。従来技術による係止手段は、一方では係止を可能にしかつ他方では装置をシールするために、弾性的に形成されねばならない。これによって、位置決めが不正確になり、非所望の誤差が生じる。
【００７０】
本発明に係るシール装置では、係止通路２７と係止レール１６とによって形成される係止機構は、ガイド通路４０及びガイドレール４１による位置決めから切り離されている。ガイド通路４０とガイドレール４１とは、カバー１４とウインドガラス１０との間の間隔Ｄを決定する。係止機構はカバー１４及び保持レール２０を固定し、ひいてはガイド通路４０内においてガイドレール４１を固定する。係止レール１６及びばね脚２５は、引張り力によってしか負荷されないので、係止レール１６及びばね脚２５は、従来技術に比べて薄くかつスペースを節減して構成することができる。そしてスペースの節減、高い位置決め精度及び簡単な取付けから成る予期しない組合せが得られる。その結果、製作誤差及び取付けに対する高い要求を極めて良好に満たすことができる。さらに、ガイド通路４０内における弾性的なばねエレメント１３によって、装置の改善されたシール作用が得られ、これにより追加的なシール手段を省くことができる。これらの利点は、当業者にとって予期しない、驚くべきことである。
【符号の説明】
【００７１】
１０  ウインドガラス
１１  カバー１４の後縁部
１２  ウインドガラス１０の下縁部
１３  ばねエレメント、支持兼シールリップ
１４  カバー
１５  支持湾曲部
１６  係止レール
１９  接触面
２０  保持レール
２２  ばね脚２５と保持レール２０との間における結合箇所
２３  突出領域
２５  ばね脚
２６  硬化インサート
２７  係止通路
２８  係止フック
３６  接着結合部
４０  ガイド通路
４１  ガイドレール
４２  位置決めストッパ
４３  取付けストッパ
４４  切欠き
４５  隆起部
４６  支持隆起部
５０  取付けストリップ
５１  緊張状態におけるばねエレメント１３
５２  弛緩状態におけるばねエレメント１３
６０  支持脚
Ａ−Ａ′  切断ライン
Ｂ−Ｂ′  切断ライン
Ｄ  カバー１１の後縁部とウインドガラス１０の下縁部１２との間の間隔
Ｌ  位置決めストッパ４２の長さ
【図１】
0006005183.tif 000002
【図２】
0006005183.tif 000003
【図３ａ】
0006005183.tif 000004
【図３ｂ】
0006005183.tif 000005
【図３ｃ】
0006005183.tif 000006
【図４】
0006005183.tif 000007
【図５】
0006005183.tif 000008
【図６】
0006005183.tif 000009
【図７】
0006005183.tif 000010
【図８】
0006005183.tif 000011
【図９】
0006005183.tif 000012